(57)【要約】      （修正有）【課題】狩猟において捕獲した獲物（獣）を、狩猟者一人で移動することが可能な狩猟用獲物移動装置を提供することを目的とする。【解決手段】本発明に係る狩猟用獲物移動装置１は、ワイヤー４を巻き取ることが可能な巻き取り装置３と、捕えた獲物を引っ掛けることが可能な獲物引っ掛け部材６と、巻き取り装置３及び獲物引っ掛け部材６を搭載した移動体本体２とを備える。巻き取り装置３から引き出されたワイヤー４の先端には、ワイヤー４を巻き回して係止することが可能な牽引フックを有し、巻き取り装置３からワイヤー４を引き出す方向の反対側に獲物引っ掛け部材６が配置されている。【選択図】図２
2017088268.tif 000002
【特許請求の範囲】
【請求項１】
ワイヤーを巻き取ることが可能な巻き取り装置と、
捕えた獲物を引っ掛けることが可能な獲物引っ掛け部材と、
前記巻き取り装置及び前記獲物引っ掛け部材を搭載した移動体本体と
を備える狩猟用獲物移動装置であって、
前記巻き取り装置から引き出された前記ワイヤーの先端には、前記ワイヤーを巻き回して係止することが可能な牽引フックを有し、
前記巻き取り装置から前記ワイヤーを引き出す方向の反対側に前記獲物引っ掛け部材が配置されていることを特徴とする狩猟用獲物移動装置。
【請求項２】
前記移動体本体の底面は、前記ワイヤーを引き出す方向に向かって上方へ次第に高くなる形状を有することを特徴とする請求項１に記載の狩猟用獲物移動装置。
【請求項３】
前記巻き取り装置から引き出された前記ワイヤーを支持する支持部を備え、
該支持部の高さは、前記移動体本体の前記ワイヤーを引き出す方向の先端部分の高さよりも高くなるように設けてあることを特徴とする請求項１又は２に記載の狩猟用獲物移動装置。
【請求項４】
前記移動体本体の底面に、柱状の回転体を複数設けてあることを特徴とする請求項１乃至３のいずれか一項に記載の狩猟用獲物移動装置。
【請求項５】
前記移動体本体の底面に、キャタピラ状の移動部材を設けてあることを特徴とする請求項１乃至３のいずれか一項に記載の狩猟用獲物移動装置。
【発明の詳細な説明】
【技術分野】
【０００１】
本発明は、狩猟において捕獲した獲物（獣）を、狩猟者一人で移動することが可能な狩猟用獲物移動装置に関する。
【背景技術】
【０００２】
狩猟は、一般に山中で行われる。獲物となる獣の種類にもよるが、イノシシ、シカ等の大型の獣を捕獲した場合、重量が８０ｋｇ乃至１００ｋｇ程度になることもある。この場合、狩猟者が一人で行動しているときには、持ち帰ることが困難になることが多い。
【０００３】
同じように、山中における作業で必要な重量物を移動させる場合には、人力ではなく機械を用いて移動させることが考えられている。例えば特許文献１には、伐採した木材を集材して、効率良く運搬するための集材装置が開示されている。
【０００４】
特許文献１に開示されている集材装置では、伐採した木材を集材し、移動する場合に、移動させる方向（集材する方向）の高さが反対側（集材する方向の反対方向）の高さよりも高くなるようにして、ウインチ等を用いて伐採した木材を捲き上げて移動させている。これにより、移動途中に岩や切株などの地面上の障害物が存在する場合であっても、移動が妨げられることがない。
【先行技術文献】
【特許文献】
【０００５】
【特許文献１】特開２０１５−１６８５７９号公報
【発明の概要】
【発明が解決しようとする課題】
【０００６】
しかし、特許文献１に開示されているような装置を山中へ持ち込むには、それなりの装備と人数が必要となり、通常の個人が楽しむ狩猟では、使用することはできない。また、４ＷＤ仕様の自動車に取り付けられているウインチを使えばいい、という考え方もあるが、そもそも獲物を射止めた場所まで自動車が入り込むことが困難な場合がほとんどであり、たとえ自動車で入り込むことができた場合であっても、ウインチに用いられているワイヤーの長さにも限界がある。
【０００７】
そのうえ、捕獲した獲物（獣）を移動することができたと仮定した場合であっても、山中は平坦ではない。しかも、獲物の移動途中に岩や切株などの障害物が地面上に存在する場合には、ウインチで引っ張るとしても、狩猟者が一人で行動しているときには障害物を回避することが困難であり、結局は捕獲した獲物を持ち帰ること自体が困難になるという問題点があった。
【０００８】
本発明は斯かる事情に鑑みてなされたものであり、狩猟において捕獲した獲物（獣）を、狩猟者一人で移動することが可能な狩猟用獲物移動装置を提供することを目的とする。
【課題を解決するための手段】
【０００９】
上記目的を達成するために第１発明に係る狩猟用獲物移動装置は、ワイヤーを巻き取ることが可能な巻き取り装置と、捕えた獲物を引っ掛けることが可能な獲物引っ掛け部材と、前記巻き取り装置及び前記獲物引っ掛け部材を搭載した移動体本体とを備える狩猟用獲物移動装置であって、前記巻き取り装置から引き出された前記ワイヤーの先端には、前記ワイヤーを巻き回して係止することが可能な牽引フックを有し、前記巻き取り装置から前記ワイヤーを引き出す方向の反対側に前記獲物引っ掛け部材が配置されていることを特徴とする。
【００１０】
第１発明では、ワイヤーを巻き取ることが可能な巻き取り装置と、捕えた獲物を引っ掛けることが可能な獲物引っ掛け部材と、巻き取り装置及び獲物引っ掛け部材を搭載した移動体本体とを備えている。巻き取り装置から引き出されたワイヤーの先端には、ワイヤーを巻き回して係止することが可能な牽引フックを有し、巻き取り装置からワイヤーを引き出す方向の反対側に獲物引っ掛け部材が配置されている。牽引フックを用いてワイヤーを木などの固定物に固定し、獲物引っ掛け部材に捕えた獲物を引っ掛けた状態で巻き取り装置にてワイヤーを巻き取ることにより、巻き取り装置の動力により移動体本体を木に近づくように移動させることができ、それに伴って獲物を木に近づくように移動させることができる。また、移動途中で獲物が切株や岩に接触する場合であっても、狩猟者自らが獲物に近づくことで斯かる状態を脱出するよう獲物の位置を変更することができるので、狩猟者一人であっても移動が困難な大型の獲物を容易に移動させることが可能となる。
【００１１】
また、第２発明に係る狩猟用獲物移動装置は、第１発明において、前記移動体本体の底面は、前記ワイヤーを引き出す方向に向かって上方へ次第に高くなる形状を有することが好ましい。
【００１２】
第２発明では、移動体本体の底面は、ワイヤーを引き出す方向に向かって上方へ次第に高くなる形状を有しているので、移動体本体の移動方向に切株や岩などの障害物が存在する場合であっても、移動体本体が障害物に引っ掛かる可能性を低減しながら獲物を移動させることが可能となる。
【００１３】
また、第３発明に係る狩猟用獲物移動装置は、第１又は第２発明において、前記巻き取り装置から引き出された前記ワイヤーを支持する支持部を備え、該支持部の高さは、前記移動体本体の前記ワイヤーを引き出す方向の先端部分の高さよりも高くなるように設けてあることが好ましい。
【００１４】
第３発明では、巻き取り装置から引き出されたワイヤーを支持する支持部を備えており、支持部の高さは、移動体本体のワイヤーを引き出す方向の先端部分の高さよりも高くなるように設けてあるので、ワイヤーが引き出された場合であっても、ワイヤーが移動体本体の先端部分に接触する頻度が少なくなり、ワイヤーの損耗を大きく低減することが可能となる。
【００１５】
また、第４発明に係る狩猟用獲物移動装置は、第１乃至第３発明のいずれか１つにおいて、前記移動体本体の底面に、柱状の回転体を複数設けてあることが好ましい。
【００１６】
第４発明では、移動体本体の底面に、柱状の回転体を複数設けてあるので、移動体本体の移動方向に切株や岩などの障害物が存在する場合であっても、移動体本体が障害物に引っ掛かることなく移動することが可能となる。
【００１７】
また、第５発明に係る狩猟用獲物移動装置は、第１乃至第３発明のいずれか１つにおいて、前記移動体本体の底面に、キャタピラ状の移動部材を設けてあることが好ましい。
【００１８】
第５発明では、移動体本体の底面に、キャタピラ状の移動部材を設けてあるので、移動体本体の移動方向に切株や岩などの障害物が存在する場合であっても、移動体本体が引っ掛かることなく、より円滑に移動することが可能となる。
【発明の効果】
【００１９】
上記構成によれば、牽引フックを用いてワイヤーを木などの固定物に固定し、獲物引っ掛け部材に捕えた獲物を引っ掛けた状態で巻き取り装置にてワイヤーを巻き取ることにより、巻き取り装置の動力により移動体本体を木に近づくように移動させることができ、それに伴って獲物を木に近づくように移動させることができる。また、移動途中で獲物が切株や岩に接触する場合であっても、狩猟者自らが獲物に近づくことで斯かる状態を脱出するよう獲物の位置を変更することができるので、狩猟者一人であっても移動が困難な大型の獲物を容易に移動させることが可能となる。
【図面の簡単な説明】
【００２０】
【図１】本発明の実施の形態に係る狩猟用獲物移動装置の構成を示す側面図である。
【図２】本発明の実施の形態に係る狩猟用獲物移動装置の構成を示す平面図である。
【図３】本発明の実施の形態に係る狩猟用獲物移動装置の使い方を説明するための模式図である。
【図４】本発明の実施の形態に係る狩猟用獲物移動装置の移動体本体の形状の例示図である。
【図５】本発明の実施の形態に係る狩猟用獲物移動装置の支持部近傍の拡大側面図である。
【図６】本発明の実施の形態に係る狩猟用獲物移動装置の移動体本体の構成を示す側面図及び裏面図である。
【図７】本発明の実施の形態に係る狩猟用獲物移動装置の移動体本体の他の構成を示す側面図である。
【発明を実施するための形態】
【００２１】
以下、本発明の実施の形態について、図面を参照しながら詳細に説明する。図１は、本発明の実施の形態に係る狩猟用獲物移動装置の構成を示す側面図であり、図２は、本発明の実施の形態に係る狩猟用獲物移動装置の構成を示す平面図である。
【００２２】
図１及び図２に示すように、本実施の形態に係る狩猟用獲物移動装置１は、移動体本体２の上に、ウインチ等のワイヤー４を巻き取ることが可能な巻き取り装置３、巻き取り装置３を駆動するバッテリー５が搭載されている。また、捕えた獲物を引っ掛けることが可能な獲物引っ掛け部材６を、巻き取り装置３から引き出されるワイヤー４の引き出し方向の反対側に備えている。
【００２３】
本実施の形態では、巻き取り装置３に電動ウインチを用いている。そして、図２に示すように、巻き取り装置３は、ワイヤー４を巻き付けているローラ部３１と、ローラ部３１を回転させる駆動部であるモータ３２とで構成されている。移動体本体２の上には、モータ３２と接続されている駆動用のバッテリー５が搭載されている。
【００２４】
巻き取り装置３から引き出されたワイヤー４は、支持部７の支持ローラ７１を介して外部へ引き出される。ワイヤー４の先端には、ワイヤー４を巻き回して係止することが可能な牽引フック４１（図３参照）を設けてある。本実施の形態に係る狩猟用獲物移動装置１は、牽引フック４１を用いて移動体本体２を移動させることにより、捕獲した大型の獲物（獣）を移動させる。
【００２５】
図３は、本発明の実施の形態に係る狩猟用獲物移動装置１の使い方を説明するための模式図である。まず図３（ａ）に示すように、まず、牽引フック４１を用いて、ワイヤー４を木などの固定物４２に固定する。
【００２６】
次に、図３（ｂ）に示すように、獲物引っ掛け部材６に捕えた獲物４３を引っ掛け、その状態のまま巻き取り装置３でワイヤー４を巻き取る。これにより、移動体本体２を固定物（木）４２に近づくように移動させることができ、移動体本体２に獲物引っ掛け部材６を介して引っ掛けられている獲物４３を、固定物（木）４２に近づくように移動させることができる。
【００２７】
また、牽引フック４１で直接獲物４３を引き寄せて移動させる場合には、獲物４３が例えば切株や岩に接触する可能性がある。この場合、狩猟者が一人である場合には、ウインチ等を操作する位置と獲物４３の位置とが離れているので、巻き取り操作をしながら獲物４３の位置を調整することができない。
【００２８】
それに対して、本実施の形態では、移動体本体２ごと大型の獲物（獣）４３とともに移動させることができるので、移動体本体２の巻き取り操作をしつつ、獲物４３が切株や岩に接触しないように獲物４３の位置を変更するよう、狩猟者自ら位置を調整することができるので、狩猟者一人であっても移動が困難な大型の獲物４３を容易に移動させることが可能となる。
【００２９】
なお、移動体本体２が移動しやすいように、移動体本体２の底面は、ワイヤー４を引き出す方向に向かって上方へ次第に高くなる形状を有することが好ましい。これにより、移動体本体２の進行方向に切株や岩などの障害物が存在する場合であっても、移動体本体２の傾斜部分により引っ掛かることを回避することができ、効率良く移動させることが可能となる。
【００３０】
図４は、本発明の実施の形態に係る狩猟用獲物移動装置１の移動体本体２の形状の例示図である。本実施の形態では、図４（ａ）に示すように、移動体本体２の底面の断面形状が、ワイヤー４の引き出し方向の任意の位置にて上方へ屈曲させた屈曲部２１を有している。しかし、特に斯かる形状に限定されるものではない。
【００３１】
例えば図４（ｂ）に示すように、移動体本体２の底面の断面形状が、ワイヤー４の引き出し方向の任意の位置から弧を描くように上方へ反り返った湾曲部２２を有していても良い。また、図４（ｃ）に示すように、移動体本体２の底面の平面形状が、ワイヤー４の引き出し方向において中央から左右に向かって傾斜させた三角部２３を有していても良い。
【００３２】
また、移動体本体２の移動時に、ワイヤー４と移動体本体２とが常時接触しては、ワイヤー４が損耗するおそれがある。そこで、本実施の形態では、ワイヤー４が引き出される方向の高さを一定以上の高さに維持することが可能な支持部７を備えることにより、ワイヤー４と移動体本体２との接触を極力回避している。
【００３３】
図５は、本発明の実施の形態に係る狩猟用獲物移動装置１の支持部７近傍の拡大側面図である。図５に示すように、巻き取り装置３のローラ部３１の下方から引き出されるワイヤー４は、支持部７の支持ローラ７１の上方を通過して、移動体本体２の進行方向（矢印方向）へと引き出される。
【００３４】
移動体本体２の底面は、上述したようにワイヤー４を引き出す方向に向かって上方へ次第に高くなる形状を有している。図１、図３では、屈曲部２１を有することで、ワイヤーを引き出す方向に向かって上方へ傾斜している。
【００３５】
移動体本体２のワイヤー４が引き出される方向の先端部分が上方へ傾斜して上がっていることにより、支持部７を設けておかないと、引き出されたワイヤー４と移動体本体２のワイヤー４が引き出される方向の先端部分とが接触しやすくなり、摩擦によりワイヤー４が早期に損耗するおそれがある。支持部７の支持ローラ７１の上方をワイヤー４が通過するようにすることで、巻き取り装置３から引き出されたワイヤー４と移動体本体２のワイヤー４が引き出される方向の先端部分との接触を回避しやすくなり、ワイヤー４の損耗を回避することができる。
【００３６】
つまり、支持部７の支持ローラ７１の高さは、少なくとも移動体本体２のワイヤー４を引き出す方向の先端部分（屈曲部２１の先端）の高さよりも高くなるように設けてあることが好ましい。これにより、通常の捕獲した獲物（獣）の移動時には、ワイヤー４が移動体本体２の先端部分に接触することがない。
【００３７】
図１及び図２に戻って、狩猟用獲物移動装置１は、持ち運びが容易になるように把持部８を備えている。本実施の形態では、把持部８は円筒形状の部材を組み合わせて構成されているが、特にこれに限定されるものではない。これにより、狩猟を行う山中であっても、容易に狩猟用獲物移動装置１を持ち込むことができ、狩猟者一人であっても、大型の獲物（獣）を持ち帰るために移動させることが可能となる。
【００３８】
また、本実施の形態に係る狩猟用獲物移動装置１は、移動体本体２の移動をより容易にするために、移動体本体２の底面に、柱状の回転体を複数設けていることが好ましい。図６は、本発明の実施の形態に係る狩猟用獲物移動装置１の移動体本体２の構成を示す側面図及び裏面図である。図６（ａ）は、本実施の形態に係る狩猟用獲物移動装置１の移動体本体２の側面図を、図６（ｂ）は、本実施の形態に係る狩猟用獲物移動装置１の移動体本体２の裏面図を、それぞれ示している。
【００３９】
図６（ａ）、（ｂ）に示すように、移動体本体２の底面に複数の柱状の回転体６０をコロのように設けることにより、地面への接地面積を最小にすることができるので、上下方向の摩擦抵抗を最小限にすることができ、移動体本体２の移動をより容易にすることができる。また、円柱状にすることで、移動体本体２の移動方向に切株や岩などの障害物が存在する場合であっても、回転体６０が引っ掛かることなく移動することが可能となる。
【００４０】
もちろん、円柱状の回転体に限定されるものではない。例えば移動体本体２の底面に、キャタピラ状の移動部材を設けても良い。図７は、本発明の実施の形態に係る狩猟用獲物移動装置１の移動体本体２の他の構成を示す側面図である。
【００４１】
図７に示すように、複数の回転体６０にベルト６１等を引っ掛けることにより、移動体本体２の移動方向に切株や岩などの障害物が存在する場合であっても、回転体６０が引っ掛かることなく、より円滑に移動することが可能となる。
【００４２】
以上のように、本実施の形態によれば、牽引フック４１を用いてワイヤー４を木などの固定物に固定し、獲物引っ掛け部材６に捕えた獲物を引っ掛けた状態で巻き取り装置３にてワイヤー４を巻き取ることにより、巻き取り装置３の動力により移動体本体２を木に近づくように移動させることができ、それに伴って獲物４３を木に近づくように移動させることができる。また、移動途中で獲物４３が切株や岩に接触する場合であっても、狩猟者自らが獲物４３に近づくことで斯かる状態を脱出するよう獲物４３の位置を変更することができるので、狩猟者一人であっても移動が困難な大型の獲物４３を容易に移動させることが可能となる。
【００４３】
その他、上述した実施の形態は、本発明の趣旨を逸脱しない範囲で変更することができることは言うまでもない。例えば巻き取り装置３に電動ウインチではなく、他の動力で駆動するウインチを用いても良いし、移動体本体２の形状も底面が平板状でなく、舟形状等の摩擦抵抗の小さい形状であっても良い。
【００４４】
また、巻き取り装置３が電動である場合、ワイヤーで接続された操作装置を介して駆動のオンオフを制御しても良いし、無線で接続された操作装置を介して駆動のオンオフを制御しても良い。
【符号の説明】
【００４５】
１  狩猟用獲物移動装置
２  移動体本体
３  巻き取り装置
４  ワイヤー
５  バッテリー
６  獲物引っ掛け部材
７  支持部
８  把持部
３１  ローラ部
３２  モータ
４１  牽引フック
４２  固定物（木）
７１  支持ローラ
【図１】
2017088268.tif 000003
【図２】
2017088268.tif 000004
【図３】
2017088268.tif 000005
【図４】
2017088268.tif 000006
【図５】
2017088268.tif 000007
【図６】
2017088268.tif 000008
【図７】
2017088268.tif 000009